(57)【要約】【課題】    本発明は、衣類を着用させて、吊したり干したりする際に使用する、取って機能部付きハンガーに関するものである。【解決手段】    吊持部と該吊持部下部に設けられた肩当て部と、該肩当て部から垂下し手で握ることの出来る垂下部とよりなることを特徴とする。【選択図】            図１
2007090024.tif 000002
【特許請求の範囲】
【請求項１】
吊持部と該吊持部下部に設けられた肩当て部と、該肩当て部から垂下し手で握ることの出来る垂下部とよりなることを特徴とする、取って機能部付きハンガー。
【請求項２】
垂下部に吊持機構を備えた、請求項１記載の、取って機能部付ハンガー。
【発明の詳細な説明】
【技術分野】
【０００１】    本発明は、衣類を着用させて、吊したり干したりする際に使用する、取って機能部付きハンガーに関するものである。
【背景技術】
【０００２】    吊持部と肩当て部との構成によるハンガーがある。
【発明の開示】
【発明が解決しようとする課題】
【０００３】    そのために次のような問題点があった。
（イ）物干し竿への掛け作業に於いて、端部の肩当て部を持つしかないので、バラン        スがとりにくく重さをよけいに感じていた。
（ロ）物干し竿への掛け作業に於いて、中心にある吊持部を持って吊そうとすると、        指が吊持部と竿に挟まれていた。
（ハ）肩当て部を持って吊す場合、先に左右対称に着用させていた衣類がずれてしま        うので、その都度やり直していた。
（ニ）肩当て部を持って吊す場合、先に皺を取り除いて着用させていた衣類を再び掴        むことになり、そのため再び生じた皺を伸ばしていた。
（ホ）吊持部も肩当て部も、取って部として適当な厚みや幅がない、あるいは形状で        はないので持ちにくかった。
（ヘ）吊持部を持って高めの個所に吊そうとすると、届きにくかった。
（ト）下側の空間が利用出来なかった。
【課題を解決するための手段】
【０００４】    吊持部と該吊持部下部に設けられた肩当て部と、該肩当て部から垂下し手で握ることの出来る垂下部とよりなることを特徴とする。
【発明の効果】
【０００５】    中心を持つことが出来るので、バランスよく持ち上げられ重さを感じにくくなった。
竿に引っかける時、指が挟まれるようなことがなくなった。
真っ直ぐ持つことが出来るので、衣類を着用させた後に衣類を外部より再び掴む必要がなくなり皺が出来なくなり、皺延ばしをする必要がなくなった。
真っ直ぐ持つことが出来るので、衣類を着用させた後に衣類がずれることがなくなり、着用し直しをすることがなくなった。
取って部を利用することによって、洗濯物がハンガーより風でとばされにくくなった。
取って部が洗濯物の中にあることによって、風を孕み易くなり乾きがよくなった。
高めの個所に楽に吊せるようになった。
垂下部に吊持機構を持たせることにより、別のハンガーや紐等を吊せ、下の空間を使用出来るようになった。
【発明を実施するための最良の形態】
【０００６】    以下、本発明の実施の形態について説明する。
一体型の第１の形態を、図１〜図８を用いて説明する。使用材料としてプラスチックが望ましい。
図１〜図３を説明する。
図１は肩当て部（１）と吊持部（２）と取って部（３）の３部からなり、ａは正面図、ｂは右側面図、ｃは背面図である。取って部は下方へ肩当て部端部の最下位置より一握り分以上の長さを有する。
使い方を、図２、図３で示す。図２ａは襟首の狭い洗濯物（４）の場合の着用の仕方で、取って部を持ち裾口（６）から吊持部を先に差し込んで、襟首（５）より、吊持部を突きだす。ｂは、襟首に余裕がある場合で、取って部を持ち、一方の肩当て部を襟首内より一方の袖内に差し込み、後に他方の肩当て部を他方の袖内に向かって差し込む。図３は取って部の置き場所を示し、ａは図２ａの着用の仕方で洗濯物が中にある場合、ｂは図２ｂの着用の仕方で洗濯物が外にある場合を示す。但し襟首が広い場合でも、図２ａのような着用の仕方でかまわない。また図２ｂの場合でも取って部を先に差し込んでこの着用を行えば、ａの状態になっている。取って部が洗濯物の中にある場合は風をより孕み、外にある場合は、風によってハンガーよりシャツが外れにくくなる長所が生じる。従って着用のさせ方は風の強度によって選択することになる。
使い方について当方法と異ならない限り、あるいは特異事項がない限り、以下を省略する。【０００７】    当形態の取って部の加工について、図４〜図７を用いて説明する。
取って部を加工した形態の説明をする。
図４、図５、図６、図７は握りやすくするのを目的とし、滑り止めや厚みを設けるものである。図４は具象的なデザイン的意味合いもこめたもので、端部をａは鳥の尾羽にみたて波打たせたもの、ｂは飛行機の尾翼にみたて幅を広くしたものである。図５は下端部に厚みを設けここを握り部（８）としたもので、ａは正面図、ｂは側面図である。この厚みにより、洗濯物は風を孕みやすくなり乾きが早くなるというメリットも加わる。図６は取って部に突起（９）を設けるものである。これは滑り止めと紐等を引っかけることを目的とし、ａは下端に突起を設けた場合の使用正面図で、握る個所はこれより上の位置になる。ｂは取って部の中間部に突起を設けたもので、握る個所はこれより下側となる。図７は取って部下端を少し幅を広くしてその中に穴を設けた場合で、ａは正面図、ｂは使用図である。他のハンガーや細い紐等を吊すことも可能となり、他のハンガーが内に入ることで風通しがよくなり、同時に下方の空間を利用出来ている。
図８を用いて、当形態の取って部を肩当て部端部の最下位置近くに握り部（８）を設けた場合の説明をする。
取って部の長さを最小限度に留めコストダウンを図り、本体より出来るだけ突き出さない形状に単純化することを目的とする。【０００８】    図９、図１０を用いて、肩当て部の一方が欠如した形状のハンガーに設ける場合の、第２の形態の説明をする。吊持部下方位置の肩当て支持部（１１）下部に、掴みやすい広さで設けた。プラスチック材又は線材がその材料となる。
図９ａは正面図、ｂは竿（７）に吊した状態の図である。図１０は、図９に対し吊持部の開口状態を反対にした線材使用の場合の正面図である。ａに対しｂは両端部を曲げて折り曲げ個所（１２）を設けた場合で、これを吊持部に設ければ竿より外れにくくする作用を生じ、肩当て支持部端部に設ければ、洗濯物を押さえる作用を有する。【０００９】    図１１を用いて、吊持部が湾状の形態の場合に対応する取って部の形態について説明する。プラスチック材又は線材がその材料となる。
４弁からなるもので、吊持部（２）側より肩当て部（１）側を長く、また吊持部より取って部（３）の方を長くし、枠部の折り曲げで形成したものである。ａは竿や突起に吊した正面図、ｂはこれに持ちやすくするために、取って部下端に交叉やひねり等で接合又は接着個所（１３）を設けた正面図である。【０００１０】    図１２を用いて、取って部を内蔵させ中間取って部（１４）とした形態の説明をする。
肩当て部を延長し取って部と繋ぎ、肩当て延長部（１５）を設けたａは正面図、ｂは取って延長部を取って部と共に掴む持ち方になる場合を示した使用図である。取って部が出来るだけ本体より突き出さないように単純化したものであり、また吊持部真下のみに掴む個所があるよりも、下部全体にある方がより掴み易くなることを考慮したものである。肩当て延長部辺りにも洗濯物を吊すことが出来る。
【図面の簡単な説明】
【０００１１】
【図１】    本発明の正面図、側面図、背面図である。
【図２】    本発明の使用図である。
【図３】    本発明の使用図である。
【図４】    本発明の正面図である。
【図５】    本発明の正面図と側面図である。
【図６】    本発明の使用図と正面図である。
【図７】    本発明の正面図と使用図である。
【図８】    本発明の正面図である。
【図９】    本発明の正面図と使用図である。
【図１０】    本発明の使用図である。
【図１１】    本発明の使用図である。
【図１２】    本発明の正面図と使用図である。
【符号の説明】
【０００１２】    １  肩当て部              ２  吊持部                ３  取って部
４  洗濯物                ５  襟首                  ６  裾口
７  竿                    ８  握り部                ９  突起
１０  穴                  １１  肩当て支持部        １２  折り曲げ個所
１３  接合又は接着個所    １４  中間取って部        １５  肩当て延長部
【図１】
2007090024.tif 000003
【図２】
2007090024.tif 000004
【図３】
2007090024.tif 000005
【図４】
2007090024.tif 000006
【図５】
2007090024.tif 000007
【図６】
2007090024.tif 000008
【図７】
2007090024.tif 000009
【図８】
2007090024.tif 000010
【図９】
2007090024.tif 000011
【図１０】
2007090024.tif 000012
【図１１】
2007090024.tif 000013
【図１２】
2007090024.tif 000014